(57)【要約】      （修正有）【課題】情報の宣伝効果が広範囲で長期間にわたり持続するとともに、情報に興味を示す者が、さらに詳細な情報を居場所や時間の制約なく即座に得られることができる手さげ袋を提供する。【解決手段】手さげ袋１０が、物品を内部に収納することができる袋体１１と、この袋体１１に表記され情報として認識することが可能な文字列１４と、袋体１１に文字列１４と供に表記され前記情報の詳細内容が開示されているインターネット上のウェブサイトに関連付けられている情報コード１５と、を有し、情報コード１５を携帯端末で読み取ると前記ウェブサイトにアクセスして、前記詳細内容がこの携帯端末に表示されることを特徴とする。【選択図】図１
0003112195.tif 000002
【実用新案登録請求の範囲】
【請求項１】
物品を内部に収納することができる袋体と、
前記袋体に表記され、情報として認識することが可能な文字列と、
前記袋体に前記文字列と供に表記され、前記情報の詳細内容が開示されているインターネット上のウェブサイトに関連付けられている情報コードと、を有し、
前記情報コードを携帯端末で読み取ると前記ウェブサイトにアクセスして、前記詳細内容がこの携帯端末に表示されることを特徴とする手さげ袋。
【請求項２】
前記袋体は、樹脂シートを融着させて形成するものであることを特徴とする請求項１に記載の手さげ袋。
【請求項３】
前記情報コードは、二次元バーコードであることを特徴とする請求項１又は請求項２に記載の手さげ袋。
【請求項４】
前記携帯端末は、カメラ機能付の携帯電話であることを特徴とする請求項１から請求項３のいずれか１項に記載の手さげ袋。
【考案の詳細な説明】
【技術分野】
【０００１】
荷物を収納してハンドキャリーする際に用いる手さげ袋に関し、特に、その手さげ袋に各種情報が表記されている手さげ袋に関する。
【背景技術】
【０００２】
人手で物品を移送させる際（ハンドキャリー）に用いられる手さげ袋は、移送の際に、すれ違う人々の注意を喚起するものである。このため、従来から、手さげ袋の外観に情報を刷り込んで、手さげ袋を宣伝媒体として利用することが行われている。
そして、この手さげ袋の外表面に情報を印刷すれば、使用者はこの手さげ袋を持って人通りの多い場所を練り歩くことになるので、その外観に刷り込まれた情報が多くの人目につくこととなり宣伝効果が広範囲で期待される。さらに、この手さげ袋は、再利用される可能性が高いので、さらに長期間にわたり宣伝効果を発揮することが期待される。
【０００３】
一方で、近年のインターネット関連技術の進歩に伴い、屋外においても情報データベースに簡単にアクセスすることができる携帯端末（例えば、携帯電話等）の普及がすすんでいる。また、そのような情報データを配信するためのインフラの整備も急速にすすんでいる。一例をあげると、インターネット上のＵＲＬに関連付けられた二次元バーコードが印刷されているチラシを配布して、それを受け取った各人が手持ちの携帯端末で、そのＵＲＬにアクセスすれば、居場所や時間の制約を受けずに有用で豊富な内容を含む情報に接することが可能となる（例えば非特許文献１）。
【非特許文献１】日本工業規格  JIS X 0510
【考案の開示】
【考案が解決しようとする課題】
【０００４】
しかし、手さげ袋は、片手で持って歩行するのに支障がでない程度の大きさであるので、その外観に書き込める情報の量は極めて限定的である。このため、その外観に伝えたい情報をあまり多く書き込むと、情報の視認性やデザイン性が低下し、情報に対する注意喚起力が低下するといった問題を有する。また、ＵＲＬに関連付けられた二次元バーコードが印刷されているチラシを配布することも、チラシそのものが利用される必然性が低いため、宣伝が伝わる範囲が極めて限定的である問題を有する。
【０００５】
本考案は、以上の問題点を解決することを目的としてなされたものであり、伝えようとする情報の宣伝効果が広範囲で長期間にわたり持続するとともに、情報に興味を示す者が、さらに詳細な情報を居場所や時間の制約なく即座に得られることができる手さげ袋を提供することを課題する。
【課題を解決するための手段】
【０００６】
本考案は、前記した課題を達成するために創案されたものであり、請求項１に記載の手さげ袋(10)は、物品を内部に収納することができる袋体(11)と、この袋体(11)に表記され情報として認識することが可能な文字列(14)と、前記袋体(11)に前記文字列(14)と供に表記され、前記情報の詳細内容が開示されているインターネット上のウェブサイトに関連付けられている情報コード(15)と、を有し、この情報コード(15)を、携帯端末で読み取ると前記ウェブサイトにアクセスして、前記詳細内容がこの携帯端末に表示されることを特徴とする。
【０００７】
このような構成にすることにより、情報発信者が宣伝したい情報が表記されている手さげ袋は、収納されている物品を移送する目的が達成されるまでは廃棄されることがない。このため、この表記されている情報（文字列）は、実際に物品をハンドキャリーしている者を含め不特定の者の目に留まる可能性が高くなり、広範囲・長期間にわたり宣伝効果が発揮される。そして、この情報に興味を示した者は、手持ちの携帯端末で、表記されている情報コードを読み取れば、居場所や時間の制約なく即座に詳細な情報を得ることが可能になる。さらに、この詳細な情報が開示されているウェブサイトにバナー広告が掲載されていたり、スポンサーサイトにリンクが張っていたりすれば、これらの広告主から報酬を得ることも可能になる。
【０００８】
そして、この表記されている情報（文字列）並びに情報コードが、手さげ袋から離れた場所からも充分に認識できる程度に大きければ、ハンドキャリーにより情報（文字列）が、すれ違う多くの人々の目に留まる。そしてこの情報に興味があるものは、その手さげ袋を自ら収集するか、他人が所持している手さげ袋の近くに行くかして、表記されている情報コードを所持する携帯端末で読み取る。
このようにして、一つの宣伝媒体（手さげ袋）から複数のアクセスが発生するので、ウェブサイトへのアクセス数が向上し、高い宣伝効果が発揮されることになる。
【０００９】
請求項２に記載の手さげ袋は、さらに前記袋体が、樹脂シートを融着して形成されるものであることを特徴とする。
【００１０】
このような構成にすることにより、手さげ袋を、低コストで大量生産することが可能になり、手さげ袋に物品を収納して大量に配布することができるので、宣伝媒体としての機能を充分に発揮し宣伝効果を高めることができる。
【００１１】
請求項３に記載の手さげ袋は、前記情報コードは、二次元バーコードであることを特徴とする。
【００１２】
このような構成にすることにより、二次元バーコードに特有の、誤り訂正機能に基づき、情報コードの汚れ及び破損や、携帯端末と情報コードの距離を離して読み取りを行ってもエラーの発生を低く抑えることができる。
【００１３】
請求項４に記載の手さげ袋は、前記携帯端末は、カメラ機能付の携帯電話であることを特徴とする。
【００１４】
このような構成にすることにより、前記情報コードを、手さげ袋から一定の距離をおいて、非接触で読み取ることができる。さらに、読み取った情報コードに基づき、広範囲に張り巡らされている移動通信網を経由して、詳細情報が掲載されているウェブサイトに、時間や居場所に制限されずアクセスすることが可能になる。
【考案の効果】
【００１５】
本考案に係る手さげ袋により、情報の宣伝効果が広範囲で長期間にわたり持続するとともに、情報に興味を示す者が、さらに詳細な情報を居場所や時間の制約なく即座に得られることができる手さげ袋が提供される。
【考案を実施するための最良の形態】
【００１６】
以下に、図面を参照して本考案の実施形態について詳細に説明する。図１は本実施形態に係る手さげ袋の概要を示す全体斜視図である。図２及び図３は手さげ袋の外観に印刷される情報デザインの他の例を示す図である。
図１に示すように、この手さげ袋１０は、物品を内部に収納することができる袋体１１と、指を通して手さげ袋１０を把持するための把持部１２とを有している。そして、この手さげ袋１０は、外観上で第三者から視認されやすい部位において、情報デザイン１３が印刷されている。この情報デザイン１３は、図２及び図３に示されるように、少なくとも、文字列１４と情報コード１５とを含むものである。
【００１７】
そして、本実施形態に示される手さげ袋１０は、インフレーション成形法などで筒状に連続して成形された樹脂シートを所定の寸法で裁断し、その裁断された端部を融着して閉じて成形されたものである。このような、樹脂シートにより製造された手さげ袋１０は、強度を有するとともに安価で大量生産が可能で、しかも、後記する情報デザイン１３の印刷を容易に明瞭に行うことができる。
【００１８】
また、手さげ袋１０は、商店で購入した商品、街頭などで配布される粗品、資料等の物品を収納する持ち帰り袋として、あるいはイベントにおける配布物の受け渡し袋等の使い捨て用途としても利用される。なお、本発明に係る手さげ袋は、このような樹脂シート製に限定されるものではなく、その内部に物品を収納することができるものであれば全て含まれる。
【００１９】
文字列１４とは、認識することが可能な文字情報であって、例えば、図２に示すように、詳細情報が開示されているウェブサイトへのアクセスを促す情報であったり、スポンサー名であったり、関連団体名であったりする。また、図３に示すように文字列１４は、「おいしいお米をゲットしたい人は、今すぐここにアクセス！  ○×米生産者組合」のように、「おいしいお米」のような特定のテーマに対して関心を有する者が注意を引くようなメッセージ性のある情報である場合もある。この文字列１４は、手さげ袋１０から少し距離を隔てて居る者にもその内容が視認されるように、簡潔で明確な記載であることが望ましい。
【００２０】
情報コード１５は、文字列１４の近傍に設けられ、この文字列１４の情報の詳細内容が開示されているインターネット上のウェブサイトに関連付けられているものである。
そして、この情報コード１５を、例えば、カメラ機能付携帯電話等の携帯端末で読み取れば、ウェブサイトにアクセスして、情報の詳細内容がこの携帯端末に表示されるものである。なお、この情報の詳細内容が開示されているウェブサイトには、バナー広告を掲載したり、スポンサーサイトのリンクを張ったりして、これらの広告主から報酬を得ることも可能である。
【００２１】
情報コード１５とは、ウェブサイトのＵＲＬ（Uniform Resource Locator）が記録されている一次元コードであったり二次元コードであったりする。図面には、二次元コードが例示的に示されている。
ここで、一次元コードとは、縦線を平行に一列に並べて表示されるものであって、縦線が存在する部分及び存在しない部分を「０」「１」に対応させて二進数値化された情報を持たせたものである。
また、二次元コードとは、黒白交互のマス目（セル）に「０」「１」を対応させて平面的にモザイク状に表示されるものであって、これらセルの縦方向及び横方向の配列に二進数値化された情報を持たせたものである。この二次元コードの特徴としては、汚れや破損に対する誤り訂正機能を有し、さらに、情報密度が高いのでドットの検出が少なくすむので、距離を隔てた非接触の読み取りでもエラーが生じにくい特徴を有する。
【００２２】
図４は本発明に係る手さげ袋１０により一般公衆に向けて情報が宣伝されるプロセスを示すフローチャートである。以下、この図４（適宜図３参照）を用いて説明する。
まず、内部に物品が収納されている手さげ袋１０が、通りを行き交う人々に配布される（ステップＳ１０：以下「ステップ」を省略）。この手さげ袋１０を受け取った人（以下、「受取人」と言う）は、これを手に携えて、人通りをハンドキャリーする（Ｓ１１）。そうすると、手さげ袋１０の外観の一部である情報デザイン１３が、この受取人を含め公衆に対しても視認される状態となり、記載されている文字列１４（「おいしいお米をゲットしたい人は、いますぐここにアクセス！」とメッセージが記載されているとする）が視線に留まる（Ｓ１２）。
【００２３】
この文字列１４を目に留めた人が、記載されているメッセージに関心を示さなければ情報の宣伝効果は得られないが（Ｓ１３：Ｎｏ）、関心を示せばその文字列１４のメッセージに従った行動をとるはずである（Ｓ１３：Ｙｅｓ）。すなわち、受取人がこのメッセージに関心を示した場合は、所持する携帯端末（カメラ機能付携帯電話）で手さげ袋１０に記載されている情報コード１５を読み取る（Ｓ１４）。また、すれ違う通行人がこのメッセージに関心を示した場合は、この手さげ袋１０が配布されている場所に行って同じ手さげ袋１０を受け取るか、すでにこの手さげ袋１０を所持している受取人にお願いして、同様に所持する携帯端末（カメラ機能付携帯電話）で手さげ袋１０に記載されている情報コード１５を読み取ることになる（Ｓ１４）。そうすると、携帯端末は、この情報コード１５に含まれるＵＲＬ情報に基づき対応するインターネット上のウェブサイトにアクセスし、文字列１４に関連する詳細情報が携帯端末に表示される（Ｓ１５）。
【００２４】
これにより、手さげ袋１０に表記された文字列１４のメッセージに関心を示した人は、それに関連する詳細情報を居場所や時間に関係なく即座に収集することができる。さらに、この手さげ袋１０は、少なくとも収納した物品の移送を終了するまでは廃棄されることが無いので、伝えようとする情報の宣伝効果が広範囲で長期間にわたり持続されることになる。
【図面の簡単な説明】
【００２５】
【図１】本発明に係る手さげ袋を示す斜視図である。
【図２】本発明に係る手さげ袋に表記されている文字列及び情報コードの一例を示す正面図である。
【図３】本発明に係る手さげ袋に表記されている文字列及び情報コードの一例を示す正面図である。
【図４】本発明に係る手さげ袋が情報を宣伝するプロセスを示すフローチャートである。
【符号の説明】
【００２６】
１０    手さげ袋
１１    袋体
１２    把持部
１３    情報デザイン
１４    文字列
１５    情報コード
【図１】
0003112195.tif 000003
【図２】
0003112195.tif 000004
【図３】
0003112195.tif 000005
【図４】
0003112195.tif 000006